(57)【要約】【課題】  長さ・荷重・電圧・電流等の測定信号の視認性を安価に向上させる手段としてアナログメータがあるが、測定領域に対する判定領域の割合が小さくななった場合の視認性の改善が課題である。【解決手段】  判定領域があらかじめ見やすい範囲に書き込まれたアナログメータ８を用い、表示変換データ入力部１０により設定した表示変換データにより表示信号変換部４にてデータを変換し、指針駆動手段５に出力することで判定領域周辺を拡大表示させ、課題を解決する。【選択図】図１
2011022021.tif 000002
【特許請求の範囲】
【請求項１】
測定信号を表示する表示装置において、
アナログ指針と、
前記アナログ指針を駆動する指針駆動手段と、
前記アナログ指針の示す領域区分を示す色帯が書き込まれた目盛り板と、
測定信号を変換し、前記指針駆動手段に入力する表示信号変換部と、
前記表示信号変換部にて信号変換するためのデータを記憶する変換データ記憶部からなる表示装置。
【請求項２】
前記表示信号変換データ記憶部に前記アナログ指針が持つ表示誤差を補正するための表示誤差補正データを持つことを特徴とする請求項１に示す表示装置。
【請求項３】
前記表示誤差補正データを決めるときに、前記表示誤差補正データを前記指針駆動手段に入力することによって前記アナログ指針を動作させ、前記目盛り板に記された領域区分を示す色帯の境界との位置関係を目視で比較しながら補正データを決めることを特徴とする請求項１または請求項２に示す表示装置。
【請求項４】
前記目盛り板に記された判定領域から外れた範囲で判定領域と同一ゲインで動作する比例領域を持つことを特徴とする請求項１から請求項３のいずれかに示す表示装置。
【請求項５】
入力レンジがＤＣ３Ｖ〜５Ｖのアナログメータを使用し、ＰＷＭ(パルス幅制御）出力で動作させる方式を採用した請求項１から請求項４のいずれかにに示す表示装置。
【請求項６】
目盛り板に記入された判定領域を示す色帯の下限を２５％〜３５％、上限を６５％〜７５％、比例域の下限を１５％〜２５％、上限を７５％〜８５％に設定した請求項１から請求項５のいずれかにに示す表示装置。
【発明の詳細な説明】
【技術分野】
【０００１】
本発明は長さ・荷重・電圧・電流等の測定において、測定結果を表示する表示装置に関するものである。
【背景技術】
【０００２】
長さ・荷重・電圧・電流等の測定結果の表示にはデジタル表示器を用い、並行して測定結果が定められた範囲に入っているか（良否の判定）を知らせる目的でランプやブザーなどのオン／オフで知らせる方式が多く用いられている。目的を良否の判定に限定する場合には問題ないが、測定値をより詳細に把握したい場合（たとえばが毎回安定しているのか、ばらつきが大きいのか、傾向があるかなど）に作業者が目視で把握することは困難である。
【０００３】
作業者が目視で判断するにはアナログメータのよる表示が優れているが、アナログメータは最小値と最大値の間を直線的に動作するため、測定領域に対する判定領域の割合が小さくなると、判定領域として表示される範囲が小さくなり判断しにくくなるという欠点がある。また、測定範囲や判定領域が変った時にはアナログメータを変更しなければならないという欠点がある。そのため判定を目的とした表示装置としてはあまり利用されてこなかった。
【０００４】
その欠点を補う方法として、デジタル表示とアナログ表示を併用し切り替えて表示する案（特開２０００−８８６１１号公報）が提案されているが、２つの表示を切換えながら読み取ることは作業者の負担が大きくなり、目的に合致しない。
【０００５】
大型のアナログメータを使う方法も提案されているが（特開平２ー２５７０１６号公報）大型のアナログメータは大きさの問題と精度を確保するための構造上の問題から非常に高価格になり、設置スペースも大きくなるので実用的でない。
【０００６】
液晶表示する案も提案されているが（ 特開平８ー３２７４０３号公報）体温のように変化する範囲が限定されている場合には良いが、変化する範囲が大きい場合には表示部を大きくする必要がある。その場合、パソコン等の画面を使って実現することは可能であるが高価なものになってしまう。
【先行技術文献】
【特許文献】
【０００７】
【特許文献１】特開２０００−８８６１１号公報
【特許文献２】特開平２ー２５７０１６号公報
【特許文献３】特開平８ー３２７４０３号公報
【発明の概要】
【発明が解決しようとする課題】
【０００８】
測定領域に対する判定領域の割合が小さい場合でも目視で容易に認識でき、測定領域や判定領域が変化しても装置は変更せず簡単な設定で対応できるアナログメータ式表示装置を提供することにある。
【課題を解決するための手段】
【０００９】
本発明は、アナログ指針、指針駆動手段、判定領域が記入された目盛り板よりなるアナログメータを使用し、表示データ記憶部のデータに基づき表示信号変換部において測定信号を変換し、指針駆動手段に入力することを特徴とするものである。
【発明の効果】
【００１０】
目盛り板上の判定領域が広く設定されているため視認性が大幅に改善されると同時に、装置の変更をせずに表示データのみを変更することで測定領域や判定領域の変更に容易に対応できるという効果がある。
【図面の簡単な説明】
【００１１】
【図１】本発明を利用した表示装置のブロック図である。
【図２】視認性を比較した説明図である。
【図３】表示信号変換部４における入力と出力の関係を示した説明図である。
【図４】アナログメータの誤差を補正する時の状態を示した説明図である。
【図５】本発明を実施する形態の一例を示した説明図である。（実施例１）
【図６】本発明を実施する形態の一例を示した説明図である。（実施例２）
【図７】判定領域を３分割した目盛り板の表示例である。（実施例３）
【発明を実施するための形態】
【００１２】
図１は本発明を利用した表示装置のブロック図であって、検出器１からの測定信号を測定信号入力部２から取り込み、表示変換データ入力部１０によって変換データ記憶部３に入力された表示変換データを使用し表示信号変換部４にて変換し、指針駆動手段５に入力することでアナログ指針６を動作させる。
【００１３】
目盛り板７の色帯９は視認性を良くするため判定領域の割合を大きく設定する。判定領域の色帯の色は合格を示す緑色等の安全色、両サイドの色帯の色は不合格を示す赤等の危険色を用いるとわかりやすい。変換データはパネルの表示にあわせて設定してあるので、表示領域の拡大の伴い、指針の動きは判定領域では拡大され、判定領域以外は縮小される。
【００１４】
具体的な例で説明すると、針式アナログメータのレンジは５Ｖを選定した時、判定領域が３．５Ｖから４Ｖとすると、変換する前は判定領域の割合は１０％である。
判定領域を３０％〜７０％に設定すると、表示信号変換後では判定領域の割合は４０％となり、４倍に拡大される。その結果、目視で良否判定がしやすいばかりでなく、その中での位置を判断することが出来るようになる。(図２）
【００１５】
実際の目視判定では判定領域前後が重要になる。判定領域の境目で拡大比率が変化すると、目視での判定を誤る可能性がある。そこで判定領域から外れた一定量の領域内は判定領域と同じ傾きを持たせるようにする。この領域を比例領域と呼ぶ。
判定領域より１０％広げて、比例領域は２０％〜８０％に設定した場合の変換前と変換後の出力の関係を示す。（図３）
【００１６】
比例領域の外は判定には関係ないが、傾きのある直線で結んでいる。、動作中に少ないながら変化していれば、検出器１が動作していることを確認できるというメリットがある。
【００１７】
アナログメータの誤差を補正する方法として、アナログメータの調整は行わず、表示変換データ入力部１０を利用して出力を補正する。表示変換データ入力部１０には表示変換データ入力ボタン１２があり、このボタン操作で判定領域の下限または上限を選択すると、アナログメータの指針６が設定値を示す。具体例を挙げると、良否判定結果の下限が３０％でアナログメータのフルスケールが５Ｖの場合、誤差がない場合には指針は１．５Ｖを示すが、誤差があればずれて表示される。（図４）
この状態で指針６が指している位置と目盛り板７に記された判定領域の下限とのずれを目視で確認し（このずれがアナログメータの誤差である)、ずれがなくなるようボタン操作で修正し、補正値を記憶させることによりアナログメータ表示の誤差は補正される。
【００１８】
測定信号出力部１３は入力された信号と同一の信号を出力する機能である。既存のデジタル表示システムがある場合や、アナログ表示装置にない機能有する機器を接続して使う時に有効である。この機能を含むか含まないかは自由に選択出来る。
【００１９】
表示信号変換部４の機能として入力信号の最大値表示（ピークホールド)や最小値表示(ボトムホールド）や最大値と最小値の差（振れ量)等の処理を行うことも可能である。
【００２０】
外部との制御信号１４をやり取りする制御信号入力部１５を用意し、外部から本装置の動作を制御をしたり、判定結果等を外部に出力することが可能である。
【００２１】
表示変換データ入力部１０の目的は、表示変換データの設定をすることであるが、一旦設定してしまえば使用しない。そのため通常の使用中には表示変換データ表示部１１に測定値やその他必要な情報を表示することが出来る。
【００２２】
変換データ記憶部３と表示信号変換部４はワンチップマイコンを利用して構成する。
ワンチップマイコンの機能を有効活用するため、アナログメータ８の入力仕様は最大入力電圧がＤＣ３〜５Ｖ、表示信号変換部４の出力はＰＷＭ(パルス幅制御)方式を採用する。
【実施例１】
【００２３】
図５は機械設備に組み込むことを想定して、アナログメータと表示変換データ入力部を前面に配置し、測定信号入力部と制御信号入力部を背面に配置した例である。
【００２４】
表示信号変換部４及び変換データ記憶部はメイン基板２３上に構成され、表示変換データ入力部１０は表示基板２２に構成されている。
【実施例２】
【００２５】
図６は検出器３１を内蔵し、表示変換データ入力部は必要な時だけ接続するように外部接続用コネクタ３２を用意した表示装置の例である。  専用の入力装置やパソコン等を利用して表示変換データの入力を行う。表示に消費される電流が少なくなるため、電池駆動が出来るようになり、可搬性に優れた表示装置が実現できる。
【実施例３】
【００２６】
図６は目盛り板７の判定領域の分割数を３に増やした例である。測定結果によるランク分けを行いたい場合に使用する。
目盛り板７の表示は分割数に応じて作成する必要があるが、設定値の変更はデータで行えるので、品種を少なくすることが出来る。
【産業上の利用可能性】
【００２７】
一般的に測定を単独で行うことは少なく、測定データによって何らかの対応が必要となる場合が多い。特に生産現場では品質管理の手段としての測定は重要である。
現在はデジタル的にＯＫまたはＮＧと判断する方法がほとんどであるが、より高い品質を求めていくためにはＯＫの中でどのような状態なのかを判断することが必要になる。そのための手段としてアナログ表示は非常に有効であり、本発明が利用される可能性は大きい。
【符号の説明】
【００２８】
１  検出器
２  測定信号入力部
３  変換データ記憶部
４  表示信号変換部
５  指針駆動手段
６  アナログ指針
７  目盛り板
８  アナログメータ
９  色帯
１０  表示変換データ入力部
１１  表示変換データ表示部
１２  表示変換データ入力ボタン
１３  測定信号出力部
１４  制御信号
１５  制御信号入出力部
１６  制御信号入出力部
２１  ケース
２２  表示基板
２３  メイン基板
２４  裏カバー
３１  検出器
３２  外部接続用コネクタ
【図１】
2011022021.tif 000003
【図２】
2011022021.tif 000004
【図３】
2011022021.tif 000005
【図４】
2011022021.tif 000006
【図５】
2011022021.tif 000007
【図６】
2011022021.tif 000008
【図７】
2011022021.tif 000009